(57)【特許請求の範囲】
【請求項１】
個々に風向角度を制御可能な複数の風向板を備えた室内機と、同室内機を操作するリモコンとを備え、
前記風向板は、
前記室内機に設けられた基準マークが前記室内機が設置された時に向いている方位角である設置方位角を起点として所定の角度毎に順次配置されると共に、前記風向板を識別する風向板識別番号が対応して割り当てられており、
前記室内機は、前記風向板識別番号に基づいて該当する前記風向板を制御する空気調和機であって、
前記リモコンは表示部を備え、
前記リモコンは、前記表示部に表示された基準マークを起点として複数の前記風向板の配置と対応して前記所定の角度毎に予め割り当てられると共に、前記表示部に表示された基準マークからの前記所定角度毎の位置を示す風向板番号を前記表示部に表示し、
前記リモコンは、前記表示部に表示する基準マークが向いている方位角を検出して操作方位角として出力する方位角検出手段と、前記風向板番号から前記複数の風向板のうち少なくとも１つを選択する風向板選択操作を受付て選択された前記風向板を示す選択風向板番号を出力する操作受付手段とを備え、
前記空気調和機は、
前記設置方位角が予め記憶された記憶手段と、
前記操作方位角と前記選択風向板番号と前記設置方位角が入力され、
前記選択風向板番号を前記操作方位角に基づいて方位角に変換し、
変換した方位角と前記設置方位角に基づいて風向板識別番号を抽出する風向板識別番号抽出手段と、
抽出された前記風向板識別番号と対応する前記風向板を制御する風向板制御手段とを備えたことを特徴とする空気調和機。
【発明の詳細な説明】
【技術分野】
【０００１】
本発明は、空気調和機に係わり、より詳細には、独立して制御可能な複数の風向板を備えた室内機をリモコンで制御する構成に関する。
【背景技術】
【０００２】
従来、空気調和機の室内機は特許文献１に示すように、４つの風向板の風向角度が独立して制御可能になっている。ユーザーはリモコンに表示される４つの風向板識別表示から意図する風向板を選択し、この選択された風向板に対して風向角度を指定するようになっている。
【０００３】
このリモコンの風向板識別表示と実際の風向板との対応をユーザーが記憶していれば問題ないが、記憶していない場合、意図する風向板がリモコンの風向板識別表示のどれと対応するかが不明である。このため、ユーザーは任意の風向板をリモコンで選択し、実際に動作させることで意図する風向板を認識していた。
【０００４】
一方、特許文献２に示す空気調和機の室内機は、室内機の４つの風向板を識別する識別子が各風向板に対応して室内機に設けられており、この識別子と対応するマークを風向板識別表示としてリモコンで表示する構成になっている。このためユーザーは意図する風向板の識別子を目視し、リモコンで表示される風向板識別表示と、この目視した識別子と同じ風向板識別表示をリモコンの画面で選択し、選択された風向板をリモコンで操作することができる。
【０００５】
しかしながら、いずれの方法も、最終的にはユーザーの記憶によって実際の風向板とリモコンに表示される風向板識別表示とを対応付けしており、ユーザーが対応付けを忘れた場合や対応付けを記憶するまでは一時的に風向板を動作させて意図する風向板と対応するリモコンの風向板表示を探したり、ユーザーが室内機に近寄って識別子を確認する必要があり操作性が悪かった。
【先行技術文献】
【特許文献】
【０００６】
【特許文献１】特開２０１３−１１３４６９号公報（第６−７頁、図４）
【特許文献２】特開２０１１−９４９２４号公報（第１０頁、図４）
【発明の概要】
【発明が解決しようとする課題】
【０００７】
本発明は以上述べた問題点を解決し、実際の風向板とリモコンに表示される風向板の模式図との対応付けをユーザーが意識しなくても、ユーザーが見たままの室内機の風向板と対応するリモコンの風向板の模式図を選択することで意図した風向板を操作可能とし、操作性を向上させた空気調和機を提供することを目的とする。
【課題を解決するための手段】
【０００８】
本発明は上述の課題を解決するため、本発明の請求項１に記載の発明は、個々に風向角度を制御可能な複数の風向板を備えた室内機と、同室内機を操作するリモコンとを備え、
前記風向板は、
前記室内機に設けられた基準マークが前記室内機が設置された時に向いている方位角である設置方位角を起点として所定の角度毎に順次配置されると共に、前記風向板を識別する風向板識別番号が対応して割り当てられており、
前記室内機は、前記風向板識別番号に基づいて該当する前記風向板を制御する空気調和機であって、
前記リモコンは表示部を備え、
前記リモコンは、前記表示部に表示された基準マークを起点として複数の前記風向板の配置と対応して前記所定の角度毎に予め割り当てられると共に、前記表示部に表示された基準マークからの前記所定角度毎の位置を示す風向板番号を前記表示部に表示し、
前記リモコンは、前記表示部に表示する基準マークが向いている方位角を検出して操作方位角として出力する方位角検出手段と、前記風向板番号から前記複数の風向板のうち少なくとも１つを選択する風向板選択操作を受付て選択された前記風向板を示す選択風向板番号を出力する操作受付手段とを備え、
前記空気調和機は、
前記設置方位角が予め記憶された記憶手段と、
前記操作方位角と前記選択風向板番号と前記設置方位角が入力され、
前記選択風向板番号を前記操作方位角に基づいて方位角に変換し、
変換した方位角と前記設置方位角に基づいて風向板識別番号を抽出する風向板識別番号抽出手段と、
抽出された前記風向板識別番号と対応する前記風向板を制御する風向板制御手段とを備えたことを特徴とする。
【発明の効果】
【０００９】
以上の手段を用いることにより、本発明による空気調和機によれば、請求項１に係わる発明は、室内機の設置方位角とリモコンの操作方位角とリモコンで選択された選択風向板番号から風向板識別番号を自動的に抽出するため、ユーザーは目視により選択風向板番号と風向板識別番号の関係を確認する必要がなく、操作性を向上させることができる。
【図面の簡単な説明】
【００１０】
【図１】本発明による空気調和機の実施例を示す機器のブロック図である。
【図２】管理装置のブロック図である。
【図３】リモコンのブロック図である。
【図４】管理装置の機能を示す機能ブロック図である。
【図５】リモコンの機能を示す機能ブロック図である。
【図６】室内機の設置方向を登録する時の説明図である。
【図７】リモコンで風向板を選択する時の説明図である。
【図８】本発明の原理を説明する説明図である。
【発明を実施するための形態】
【００１１】
以下、本発明の実施の形態を、添付図面に基づいた実施例として詳細に説明する。
【実施例１】
【００１２】
図１は本発明による空気調和機１の実施例を示す機器のブロック図である。この空気調和機１は、室内機５や室内機６と、これらを管理する管理装置３が通信接続されており、さらに管理装置３には無線ＬＡＮ親機２が通信接続されている。また、空気調和機１には各室内機の運転を個別に指示するリモコン４を備えている。室内機５には通信用のアドレス（＃００１）が、また、室内機６には通信用のアドレス（＃００２）が割り当てられている。このため、リモコン４から各アドレスを指定して対応する室内機の運転開始／停止や温度設定、風量調整、風向板の角度などを指示することができる。
【００１３】
なお、リモコン４はスマ−トフォンに空気調和機のリモコン機能を実現するアプリケーションソフトがインストールされたものである。このスマ−トフォンは電波を介して無線ＬＡＮ親機２と通信接続されている。従ってリモコン４からの指示は管理装置３を介して各室内機へ伝達される。また、リモコン４は画像や文字等を表示する表示部４２と、表示部４２の表面にタッチパネル４１を備えている。  
【００１４】
次にリモコン４の表示部４２に表示される画面４ｋ（画像）の表記内容について説明する。画面４ｋには風向板に関する操作画面である風向板操作画面が表されており、画面４ｋ内には、対象画面をタッチすることでボタンとして機能する風向板モード選択ボタン４ｈ、対象室内機ボタン４ｊ、風向板選択ボタン４ａ〜４ｄ、戻るボタン４ｉが表されている。また、画面４ｋ内にはリモコン４の方向を定めた基準マーク４ｆと、選択された風向板の現在の角度を示す風向マーク４ｇが表されている。なお、基準マーク４ｆは画面４ｋの中心点から図１に対して上方に表されている。
【００１５】
なお、風向板選択ボタン４ａ〜４ｄの全体の表示を風向板模式図４ｅと呼称する。風向板模式図４ｅの風向板選択ボタン４ａは基準マーク４ｆと同一方向（図１においてリモコン４の上方向）に配置され、風向板選択ボタン４ａを１とし、時計回り方向の各風向板選択ボタンに順次、２、３、４と識別用の番号である選択風向板番号が表示されている。この選択風向板番号はユーザーには無関係であるため表示しなくてもよい。選択風向板番号は対応する風向板選択ボタンがタッチされた時にリモコン４から管理装置３に送信されて管理装置３内で用いられる。
また、基準マーク４ｆもユーザーには直接関係がないため表示しなくてもよいが、この基準マーク４ｆの方向がリモコン４が向いている方向であることをユーザーに事前に認識させておく必要がある。
【００１６】
風向板モード選択ボタン４ｈはタッチされる毎に『風向板指示モード』と『設置方位角設定モード』とが交互に表示され、表示されたモードに切り換わる。風向板指示モードは４つの風向板から１つを選択して風向角度を変更するモードであり、設置方位角設定モードは室内機が設置されている方位角を設定するモードである。これらのモードは後で詳細に説明する。
【００１７】
対象室内機ボタン４ｊは指示対象となる室内機を選択するボタンであり、各室内機に固有の番号、例えば室内機の通信用のアドレスを表示する。対象室内機ボタン４ｊを１回タッチする毎に登録されている室内機のアドレスが順次表示され、表示されているアドレス（対象室内機アドレス）に対応する室内機に対して以降の操作内容が指示される。また、戻るボタン４ｉは図示しないメインメニューに戻るボタンである。メインメニューからは図示しない風向板操作のボタンでこの風向板操作画面に移行する。
【００１８】
室内機５と室内機６は同じ機能を備えているため、室内機５について詳細に説明する。
室内機５は矩形状のパネル５ｆを備えた天井埋込型の室内機であり、このパネル５ｆの外周辺に長手方向が平行になるように配置された長方形の風向板が備えられており、パネル５ｆの４つの辺に対応して４つの風向板が設けられている。パネル５ｆの外周付近の一カ所には基準マーク５ｅが印刷されている。この基準マーク５ｅ付近には風向板５ａが備えられており、この基準マーク５ｅを起点として時計回りの方向に、風向板５ｂ、風向板５ｃ、風向板５ｄが所定の角度毎に、本実施例では４つの風向板なので９０度毎に順次備えられている。
【００１９】
各風向板は長手方向の辺が水平から垂直まで独立して回動する構成になっており、リモコン４の各風向板選択ボタンが１回タッチされる毎に、室内機５は選択された風向板を水平方向から垂直方向に予め定めた所定角度、例えば３０度単位で回動する。
このように、室内機５は各風向板の角度を独立して制御できるため、室内機５の内部では風向板５ａ〜風向板５ｄに対応して＃１〜＃４の風向板識別番号が割り当てられており、室内機５は指示された風向板識別番号と対応する風向板の角度を変更する構成になっている。
【００２０】
図２は管理装置３のブロック図である。管理装置３は、無線ＬＡＮ親機２と通信するＬＡＮ通信部３１と操作を受け付けるキー入力部３２と、表示部３３と、各室内機と通信する通信部３６と、設置された室内機５のパネル５ｆの中心点から設置された室内機５の基準マーク５ｅに向かう方向の方位角が記憶される記憶部３５と、これらを制御する制御部３４を備えている。なお、方位角の基準は北であり、これを方位角０度としている。
【００２１】
図３はリモコン４のブロック図である。
リモコン４は、リモコン４の画面４ｋの中心点からリモコン４の基準マーク４ｆに向かう方向の方位角を検出する電子コンパス４３と、操作を受け付けるタッチパネル４１と、表示部４２と、無線ＬＡＮ親機２と無線通信を行なう無線通信部４５と、制御プログラムや各種表示データ等、設置されている室内機の各通信用のアドレスなどを記憶するリモコン記憶部４６と、これらを制御するリモコン制御部４４を備えている。
なお、本実施例では、リモコン４の画面４ｋの中心点からリモコン４の基準マーク４ｆに向かう方向を基準マーク４ｆの向きと呼称し、同様に設置された各室内機のパネル５ｆの中心点から設置された各室内機の基準マーク５ｅに向かう方向を基準マーク５ｅの向きと呼称する。
【００２２】
次に図５のリモコン４の機能を示す機能ブロック図を用いて本願に関連する機能について概略の説明を行なう。なお、各ブロックの動作については後で詳細に説明する。
リモコン４は図示しないユーザーによるタッチパネル４１の操作を受け付ける操作受付手段６１と、各室内機が設置されている方位角を管理装置３に設定する設置方位角設定手段６５と、リモコン４が向いている方位角を電子コンパス４３を用いて検出する方位角検出手段６２と方位角検出手段６４と、検出した方位角である操作方位角と受け付けた選択風向板番号に対応するデータを風向板操作指示として管理装置３へ送信する風向板指示手段６３とを備えている。
【００２３】
操作受付手段６１は、タッチパネル４１の操作によって各室内機の設置方位角を設定する方位角設定モードが選択されると、操作によって指示された対象室内機アドレスを設置方位角設定手段６５へ出力する。同時に方位角検出開始の指示を方位角検出手段６４へ出力し、これに対応して方位角検出手段６４はリモコン４の現在の方位角を検出し、操作方位角として設置方位角設定手段６５へ出力する。設置方位角設定手段６５は設置方位角指示として、操作によって指示された対象室内機アドレスと入力された操作方位角である設置方位角を管理装置３へ送信する。なお、設置方位角を設定する方法については、管理装置３の機能ブロック図を説明した後で詳細に説明する。
【００２４】
一方、操作受付手段６１は、タッチパネル４１の操作によって指示された風向板の角度を変更する風向板指示モードが選択されると、操作によって指示された対象室内機アドレスと選択風向板番号を風向板指示手段６３へ出力すると共に、方位角検出手段６２へ方位角の検出開始指示を出力する。これに対応して方位角検出手段６２は、検出した方位角を操作方位角として風向板指示手段６３へ出力する。風向板指示手段６３は、入力された選択風向板番号及び対象室内機アドレスと操作方位角を風向板操作指示として管理装置３へ送信する。
【００２５】
次に図４の管理装置３の機能を示す機能ブロック図を用いて、本願に関連する機能について概略の説明を行なう。なお、各ブロックの動作については後で詳細に説明する。
管理装置３は、無線ＬＡＮ親機２を介して入力されたリモコン４やキー入力部３２から入力された指示を受け付ける指示受付手段５１と、対象室内機アドレスと設置方位角が入力される室内機設置方位角入力手段５４と、室内機設置方位角入力手段５４で入力された対象室内機アドレスと設置方位角を各室内機毎に記憶する記憶手段５５とを備えている。
【００２６】
また、管理装置３は、指示受付手段５１で受け付けた対象室内機アドレスと操作方位角と選択風向板番号からなる風向板指示が入力され、これらに対応する風向板識別番号を抽出する風向板識別番号抽出手段５２と、抽出された風向板識別番号を用いて、対象室内機アドレスに対応する室内機の風向板の角度を制御する風向板制御手段５３とを備えている。
【００２７】
指示受付手段５１は無線ＬＡＮ親機２を介して、リモコン４から送信された対象室内機アドレスと設置方位角からなる設置方位角指示を受け付けると、これらを室内機設置方位角入力手段５４へ出力する。室内機設置方位角入力手段５４は、記憶手段５５を介して対象室内機アドレス毎に室内機の設置方位角を記憶部３５に記憶させる。
【００２８】
指示受付手段５１は無線ＬＡＮ親機２を介してリモコン４から送信された対象室内機アドレスと選択風向板番号と操作方位角からなる風向板操作指示を受け付けると、これらを風向板識別番号抽出手段５２へ出力する。風向板識別番号抽出手段５２は、記憶手段５５から対象室内機アドレスに対応する室内機の設置方位角を読み出し、操作方位角と読み出した設置方位角との差を算出し、この差と風向板指示に含まれる選択風向板番号とから操作対象となる風向板識別番号を求める。なお、風向板識別番号を求める方法に関しては後で詳細に説明する。
【００２９】
図６はリモコン４の前述した設置方位角設定モードによる室内機５の設置方位角を設定する動作を説明する図である。
ユーザーはまず最初にリモコン４のメインメニューから風向板操作画面に移行し、風向板モード選択ボタン４ｈにより設置方位角設定モードに切り換える。また、ユーザーは、対象室内機ボタン４ｊをタッチして室内機５の通信アドレスである＃００１を表示させる。
【００３０】
そして、ユーザーは室内機５の基準マーク５ｅとリモコン４の基準マーク４ｆとを同じ向きに揃え、同時に室内機５の風向板５ｄの長手方向とリモコン４の長手方向が平行となるように保持し、風向板選択ボタン４ａをタッチする。
【００３１】
リモコン４は図５に示すように操作受付手段６１で風向板モード選択ボタン４ｈにより設置方位角設定モードが選択されると、方位角検出手段６４で現在、リモコン４の基準マーク４ｆが向いている方向の方位角を検出し、検出した方位角を操作方位角として設置方位角設定手段６５へ出力する。
【００３２】
一方、操作受付手段６１は、ユーザーにより風向板選択ボタン４ａがタッチされると、現在選択されている室内機５の通信アドレス（＃００１）を対象室内機アドレスとして設置方位角設定手段６５へ出力する。対象室内機アドレスが入力された設置方位角設定手段６５は、入力された操作方位角を室内機の設置方向を示す設置方位角として対象室内機アドレス（＃００１）と共に設置方位角指示として管理装置３へ送信する。
【００３３】
図４に示すように、管理装置３の指示受付手段５１は、受け付けた指示が設置方位角指示であるため、指示された対象室内機アドレス（＃００１）と設置方位角を設置方位角設定手段５４へ出力し、設置方位角設定手段５４はこれらの情報を記憶手段５５へ出力し、記憶手段５５はこれらの情報を記憶部３５に記憶する。
【００３４】
図７はリモコン４の前述した風向板指示モードにより、ユーザーの意図した風向板５ｄ（操作対象風向板）を制御する動作を説明する図である。なお、前提条件として室内機アドレス（＃００１）に対応する設置方位角（２２５度）が管理装置３の記憶部３５に記憶されているものとする。
また、リモコン４の画面は風向板操作画面に切り換えられ、風向板指示モードと対象室内機アドレスが＃００１に、それぞれ選択されているものとする。
【００３５】
（例１）
図７に示すようにユ−ザーが室内機５の風向板５ｄを操作対象風向板とした場合、ユーザーはリモコン４の筐体の外周辺の内、長手方向の辺が室内機５のいずれか１つの風向板とおおよそ平行（±４５度以内）になるようにリモコン４を保持する。なお、平行にするのはリモコン４の長手方向に限らず、短辺方向であってもよい。
【００３６】
次にユーザーはリモコン４の画面４ｋに表示されている風向板模式図４ｅの中からユーザーが操作したい操作対象風向板に見た目の位置が同じ風向板選択ボタン４ａ（選択風向板番号が１）をタッチする。なお、以降に説明する手順によって、最終的にこのボタンを１タッチする毎に操作対象風向板が上、中、下、スイング、上、中・・・と順次角度が変化する構成になっている。
【００３７】
図５に示すように、リモコン４が風向板指示モードの場合、方位角検出手段６２は電子コンパス４３で現在の方位角、例えば（例１）では１３５度を風向板指示手段６３へ操作方位角として出力する。操作受付手段６１は風向板選択ボタン４ａのタッチを認識すると、風向板選択ボタン４ａと対応する選択風向板番号（１）と、現在選択されている対象室内機アドレス（＃００１）を風向板指示手段６３へ出力する。風向板指示手段６３は、現在の操作方位角（１３５度）と選択風向板番号（１）と対象室内機アドレス（＃００１）を風向板操作指示として無線通信部４５を介して管理装置３の指示受付手段５１へ送信する。
【００３８】
図４に示すように管理装置３の指示受付手段５１は、ＬＡＮ通信部３１を介してリモコン４から操作方位角（１３５度）と選択風向板番号（１）と対象室内機アドレス（＃００１）からなる風向板操作指示が入力されると、これらのデータを風向板識別番号抽出手段５２へ出力する。
【００３９】
風向板識別番号抽出手段５２は入力された対象室内機アドレス（＃００１）と対応する室内機の設置方位角（２２５度）を記憶手段５５から読み出し、設置方位角と入力された操作方位角（１３５度）との差を算出し、この差と入力された選択風向板番号（１）から意図する風向板５ｄと対応する風向板識別番号を抽出する。
【００４０】
図８はこの風向板識別番号を抽出する原理を説明する説明図である。
風向板識別番号抽出手段５２は、対象室内機アドレス（＃００１）と対応する室内機の設置方位角（２２５度）と操作方位角（１３５度）との差を算出する。風向板識別番号も選択風向板番号も共に時計回りに番号が付与されているため、風向板識別番号抽出手段５２は、設置方位角（２２５度）を基準として時計回り方向の方位角の差α１を算出する。
【００４１】
各風向板の配置が室内機５のパネル５ｆの外周４辺に対応しているため、室内機５の全方位角（３６０度）において１つの風向板は９０度の角度毎に配置されている。従って  この方位角の差をαとすると風向板識別番号は次の式で求めることができる。
風向板識別番号＝α／９０＋選択風向板番号・・・式１
式１は一例として、風向板識別番号抽出手段５２が、角度を風向板の番号に変換して風向板識別番号を算出しているが、これに限るものでなく、選択風向板番号を操作方位角に基づいて方位角に変換し、変換した方位角を設置方位角に基づいて風向板識別番号に変換する方法であれば、どのような算出方法、テーブルを用いた抽出方法であってもよい。
【００４２】
例１の場合、風向板識別番号抽出手段５２は、設置方位角（２２５度）と操作方位角（１３５度）との差のαをα１＝２７０度と算出する。風向板識別番号抽出手段５２は、入力された選択風向板番号（１）とα＝２７０を式１に代入して、
風向板識別番号＝２７０／９０＋１＝４
を算出し、入力された対象室内機アドレス（＃００１）と風向板識別番号（４）を風向板制御手段５３へ出力する。
【００４３】
風向板制御手段５３は、風向板識別番号（４）と対応する風向板５ｄの角度を現在の角度から下方に１段下げるように通信部３６を介して、入力された対象室内機アドレス（＃００１）と対応する室内機５へ指示を送信し、これを受信した室内機５は指示に従って風向板５ｄを制御する。この結果、ユーザーの意図した室内機５の風向板５ｄの角度を変更することができる。
【００４４】
（例２）
図７に示すようにユ−ザーが室内機５の風向板５ｄを操作対象風向板とした場合、ユーザーはリモコン４の筐体の外周辺の内、長手方向の辺が室内機５のいずれか１つの風向板とおおよそ平行（±４５度以内）になるようにリモコン４を保持する。
【００４５】
次にユーザーはリモコン４の画面に表示されている風向板模式図４ｅの中からユーザーが操作したい操作対象風向板に見た目の位置が同じ風向板選択ボタン４ｂ（選択風向板番号（２）をタッチする。
【００４６】
図５に示すように、リモコン４が風向板指示モードの場合、方位角検出手段６２は電子コンパス４３で現在の方位角、例えば（例２）では４５度を風向板指示手段６３へ操作方位角として出力する。操作受付手段６１は風向板選択ボタン４ｂのタッチを認識すると、風向板選択ボタン４ｂと対応する選択風向板番号（２）と、現在選択されている対象室内機アドレス（＃００１）を風向板指示手段６３へ出力する。風向板指示手段６３は、現在の操作方位角（４５度）と選択風向板番号（２）と対象室内機アドレス（＃００１）を風向板操作指示として無線通信部４５を介して管理装置３の指示受付手段５１へ送信する。
【００４７】
図４に示すように管理装置３の指示受付手段５１は、ＬＡＮ通信部３１を介してリモコン４から操作方位角（４５度）と選択風向板番号（２）と対象室内機アドレス（＃００１）からなる風向板操作指示が入力されると、これらのデータを風向板識別番号抽出手段５２へ出力する。
【００４８】
風向板識別番号抽出手段５２は入力された対象室内機アドレス（＃００１）と対応する室内機の設置方位角（２２５度）を記憶手段５５から読み出し、設置方位角と入力された操作方位角（４５度）との差を算出し、この差と入力された選択風向板番号（２）から意図する風向板５ｄと対応する風向板識別番号を抽出する。
【００４９】
図８はこの風向板識別番号を抽出する原理を説明する説明図である。
風向板識別番号抽出手段５２は、対象室内機アドレス（＃００１）と対応する室内機の設置方位角（２２５度）と操作方位角（４５度）との差を算出する。風向板識別番号も選択風向板番号も共に時計回りに番号が付与されているため、風向板識別番号抽出手段５２は、設置方位角（２２５度）を基準として時計回り方向の方位角の差α２を算出する。
【００５０】
例２の場合、風向板識別番号抽出手段５２は、設置方位角（２２５度）と操作方位角（４５度）との差α２を１８０度と算出する。そして風向板識別番号抽出手段５２は、入力された選択風向板番号（２）とα＝１８０を式１に代入して、
風向板識別番号＝１８０／９０＋２＝４
を算出し、入力された対象室内機アドレス（＃００１）と風向板識別番号（４）を風向板制御手段５３へ出力する。
【００５１】
風向板制御手段５３は、風向板識別番号（４）と対応する風向板５ｄの角度を現在の角度から下方に１段下げるように通信部３６を介して、入力された対象室内機アドレス（＃００１）と対応する室内機５へ指示を送信し、これを受信した室内機５は指示に従って風向板５ｄを制御する。
例１と例２で説明したように、リモコン４がどのような方向を向いていてもユーザーの意図した室内機５の風向板５ｄの角度を変更することができる。
【００５２】
以上説明したように、室内機５の設置方位角とリモコン４の操作方位角とリモコン４で選択された選択風向板番号から風向板識別番号を自動的に抽出するため、ユーザーは目視により選択風向板番号と風向板識別番号の関係を確認する必要がなく、操作性を向上させることができる。
【００５３】
本実施例では管理装置３を介して各室内機を制御するため、風向板識別番号抽出手段５２と記憶手段５５を管理装置３内に設けているが、これに限るものでなく、無線ＬＡＮ親機２と風向板識別番号抽出手段５２と設置方位角を事前に記憶した記憶手段５５を各室内機に設けるようにしてもよい。
また、リモコン４に室内機の設置方位角を記憶させた記憶手段と、風向板識別番号抽出手段を備え、リモコン４内で風向板識別番号を求めるように構成してもよい。
【００５４】
また、本実施例ではリモコン４をスマ−トフォンを用いて実現しているが、これに限るものでなく、エアコン専用の無線リモコンに電子コンパスを設けた構成にしてもよい。
また、本実施例では４つの風向板を備えた空気調和機を例として説明しているが、これに限るものでなく、例えば８つ（８方向）の風向板を備えたものであってもよい。
【００５５】
また、本実施例では設置方位角と入力された操作方位角との差を算出し、この差と入力された選択風向板番号から意図する風向板５ｄと対応する風向板識別番号を演算によって抽出しているが、これに限るものでなく、方位角の差と選択風向板番号とに対応した風向板識別番号を予めテーブルとし記憶しておき、このテーブルから風向板識別番号を抽出するようにしてもよい。
【符号の説明】
【００５６】
１  空気調和機
２  無線ＬＡＮ親機
３  管理装置
４  リモコン
４ａ〜４ｄ  風向板選択ボタン
４ｆ  基準マーク
４ｇ  風向マーク
４ｈ  風向板モード選択ボタン
４ｉ  ボタン
４ｊ  対象室内機ボタン
４ｋ  画面
５  室内機
５ａ〜５ｄ  風向板
５ｅ  基準マーク
５ｆ  パネル    
６  室内機
３１  ＬＡＮ通信部
３２  キー入力部
３３  表示部
３４  制御部
３５  記憶部
３６  通信部
４１  タッチパネル
４２  表示部
４３  電子コンパス
４４  リモコン制御部
４５  無線通信部
４６  リモコン記憶部
５１  指示受付手段
５２  風向板識別番号抽出手段
５３  風向板制御手段
５４  室内機設置方位角入力手段
５４  設置方位角設定手段
５５  記憶手段
６１  操作受付手段
６２  方位角検出手段
６３  風向板指示手段
６４  方位角検出手段
６５  設置方位角設定手段
【図１】
0006471519.tif 000002
【図２】
0006471519.tif 000003
【図３】
0006471519.tif 000004
【図４】
0006471519.tif 000005
【図５】
0006471519.tif 000006
【図６】
0006471519.tif 000007
【図７】
0006471519.tif 000008
【図８】
0006471519.tif 000009